(57)【特許請求の範囲】
【請求項１】
上面に開口部を有する首部、および、前記首部よりも大径の肩部を有する液状の薬剤を収容可能な胴部を備える容器と、
少なくとも一部が薬剤に浸漬するように前記容器内に収納される芯材と、
前記芯材を保持する芯材保持枠と、を備え、
前記芯材保持枠により前記芯材を前記容器外部に引き上げることで、前記芯材の一部で吸い上げた薬剤が前記容器外部に揮散するように構成された薬剤揮散器において、
前記芯材保持枠は、可撓性を有する一対の側枠部材を備え、
前記各側枠部材には、前記芯材保持枠を引き上げた時に、前記容器の肩部に係合可能な一対の係合突起が前記芯材保持枠の幅方向外向きに設けられているとともに、前記各係合突起の反対側に、互いに当接することで前記各係合突起の内方への移動を規制する一対の規制突起が前記芯材保持枠の幅方向内向きに設けられており、
前記各側枠部材は、前記各規制突起が互いに反対方向へ変位して位置ずれするように、前記芯材保持枠の厚み方向へ撓むことが可能である薬剤揮散器。
【請求項２】
前記容器の首部の内周面には、前記芯材保持枠の厚み方向に突き出る一対の突出部が設けられており、前記芯材保持枠をひねることにより、前記各側枠部材は前記芯材保持枠の厚み方向へ撓むことを特徴とする請求項１に記載の薬剤揮散器。
【請求項３】
前記各係合突起および前記各規制突起は、前記各側枠部材の下端部に設けられていることを特徴とする請求項１または２に記載の薬剤揮散器。
【請求項４】
前記各係合突起の下縁を、外側から内側へ低く傾斜させて挿入ガイド部を形成したことを特徴とする請求項１〜３のいずれかに記載の薬剤揮散器。
【請求項５】
前記各側枠部材の外側面には、前記容器の首部の内周面に接触する突部が縦方向に複数設けられていることを特徴とする請求項１〜４のいずれかに記載の薬剤揮散器。
【請求項６】
前記容器の開口部を開閉可能に閉塞するキャップに、前記芯材保持枠の上端部が回転可能に連結されていることを特徴とする請求項１〜５のいずれかに記載の薬剤揮散器。
【発明の詳細な説明】
【技術分野】
【０００１】
本発明は、芳香剤、消臭剤などの種々の揮散性を有する液状の薬剤を容器内部に収容するとともに、薬剤中に薬剤の吸上・揮散可能な芯材を浸漬した薬剤揮散器に関する。
【背景技術】
【０００２】
室内や自動車などの空間の臭気による不快感をなくし、快適な空間を生み出すために、芳香剤を自然に揮散させる薬剤揮散器が広く使用されている。この薬剤揮散器には、ゲル状、固形状、液状など、種々の薬剤が用いられており、その中で液状の薬剤を用いる薬剤揮散器は、一般に薬剤を収容する容器と、容器内に収容された薬剤を吸上・揮散可能な芯材とにより構成されている。芯材は、一部（吸上部）が薬剤中に浸漬されるとともに、他部（揮散部）が容器上部の開口部から外部に露出可能になっており、毛細管現象により、吸上部で吸い上げた薬剤を揮散部にて空気中に揮散させている。
【０００３】
上記した液状の薬剤を用いる薬剤揮散器としては、特許文献１にその一例が開示されている。特許文献１に記載の薬剤揮散器は、図９および図１０に示すように、液状の薬剤を収容する容器１００と、容器１００内に収納される帯状の芯材１０２と、芯材１０２を保持する芯材保持枠１０１とによって構成されている。芯材１０２は、芯材保持枠１０１を構成する一対の側枠部材１０３，１０３に設けられた一対の垂直板１０４，１０４と、各側枠部材１０３の下端部に各側枠部材１０３を連結するように設けられた横桟１０５との間に巻き付けられており、芯材１０２の一端部を、横桟１０５と各側枠部材１０３の下端部に設けられた一対の受棒１０６，１０６との間に通して下方に垂らすことで、容器１００の底部まで到達している。芯材保持枠１０１は、容器１００の開口部１００Ａを閉塞可能なキャップ１０８に連結されている。そして、キャップ１０８を容器１００から外し、キャップ１０８を介して芯材保持枠１０１を引き上げることにより、芯材上部の揮散部１０２Ａが容器１００の外部に露出する。従って、揮散部１０２Ａの露出の程度によって、芯材下部の吸上部１０２Ｂによって吸い上げた薬剤の揮散状態を調整可能になっている。また、各側枠部材１０３の下端部には、外側に向けて突き出る突起１０７が設けられている。芯材保持枠１０１を引き上げる際、各突起１０７が容器１００の肩部１００Ｂに引っ掛かって係合することで、芯材保持枠１０１が容器１００から抜け出るのが防止されている。
【先行技術文献】
【特許文献】
【０００４】
【特許文献１】登録実用新案公報第３０２０４５９号
【発明の概要】
【発明が解決しようとする課題】
【０００５】
この液状の薬剤を用いた薬剤揮散器は、容器１００内の薬剤が少量になった場合には、薬剤を詰め替えたり、また、薬剤の揮散に伴い、芯材１０２に界面活性剤などの不揮発成分が目詰まりすることで薬剤の揮散性能が低下した場合には、芯材１０２を取り替えたりすることにより、再利用が可能である。ただし、薬剤の詰め替えや芯材１０２の取り替え作業を行う場合には、芯材保持枠１０１を容器１００の開口部１００Ａから引き抜いて、一旦、容器１００から取り外す必要がある。
【０００６】
しかしながら、上記した特許文献１に記載の薬剤揮散器では、芯材保持枠１０１の各側枠部材１０３の下端部近傍が前記横桟１０５により連結されているために、各側枠部材１０３が内側に撓んで各突起１０７が内方に移動するのが防止されている。これにより、各突起１０７が容器１００の肩部１００Ｂとの係合が外れることなく強固に肩部１００Ｂに引っ掛かるので、芯材保持枠１０１の容器１００からの抜けが確実に防止されている。その反面、芯材保持枠１０１を容器１００から取り外す際には、各突起１０７と容器１００の肩部１０６との係合が容易には外れないために、芯材保持枠１０１を容器１００から容易に引き抜くことができない。よって、薬剤の詰め替えや芯材１０２の取り替え作業を簡単に行うことができないという課題がある。
【０００７】
本発明は、上記した課題に着目してなされたもので、薬剤の詰め替えや芯材の取り替え作業時に、芯材保持枠を容器から容易に引き抜くことができる薬剤揮散器を提供することを目的とする。
【課題を解決するための手段】
【０００８】
本発明の上記目的は、上面に開口部を有する首部、および、前記首部よりも大径の肩部を有する液状の薬剤を収容可能な胴部を備える容器と、 少なくとも一部が薬剤に浸漬するように前記容器内に収納される芯材と、 前記芯材を保持する芯材保持枠と、を備え、 前記芯材保持枠により前記芯材を前記容器外部に引き上げることで、前記芯材の一部で吸い上げた薬剤が前記容器外部に揮散するように構成された薬剤揮散器において、 前記芯材保持枠は、可撓性を有する一対の側枠部材を備え、前記各側枠部材には、前記芯材保持枠を引き上げた時に、前記容器の肩部に係合可能な一対の係合突起が前記芯材保持枠の幅方向外向きに設けられているとともに、前記各係合突起の反対側に、互いに当接することで前記各係合突起の内方への移動を規制する一対の規制突起が前記芯材保持枠の幅方向内向きに設けられており、前記各側枠部材は、前記各規制突起が互いに反対方向へ変位して位置ずれするように、前記芯材保持枠の厚み方向へ撓むことが可能である薬剤揮散器により達成される。
【０００９】
本発明の好ましい実施態様においては、前記容器の首部の内周面には、前記芯材保持枠の厚み方向に突き出る一対の突出部が設けられており、前記芯材保持枠をひねることにより、前記各側枠部材は前記芯材保持枠の厚み方向へ撓むことを特徴としている。
【００１０】
本発明のさらに好ましい実施態様においては、前記各係合突起および前記各規制突起は、前記各側枠部材の下端部に設けられていることを特徴としている。
【００１１】
本発明のさらに好ましい実施態様においては、前記各係合突起の下縁を、外側から内側へ低く傾斜させて挿入ガイド部を形成したことを特徴としている。
【００１２】
本発明のさらに好ましい実施態様においては、前記各側枠部材の外側面には、前記容器の首部の内周面に接触する突部が縦方向に複数設けられていることを特徴としている。
【００１３】
本発明のさらに好ましい実施態様においては、前記容器の開口部を開閉可能に閉塞するキャップに、前記芯材保持枠の上端部が回転可能に連結されていることを特徴としている。
【発明の効果】
【００１４】
本発明の薬剤揮散器によると、薬剤の詰め替えや芯材の取り替え作業時に、芯材保持枠をひねるなどの簡易な操作で、容器から芯材保持枠を容易に引き抜くことができる。
【図面の簡単な説明】
【００１５】
【図１】本発明の一実施形態に係る薬剤揮散器の正面図であり、芯材は省略して容器およびキャップを断面にして示している。
【図２】薬剤揮散器の側面図であり、芯材は省略して容器およびキャップを断面にして示している。
【図３】薬剤揮散器の容器からキャップを外した状態の平面図である。
【図４】芯材保持枠に芯材を取り付けた状態における縦断面図である。
【図５】芯材保持枠の斜視図である。
【図６】芯材保持枠の下端部を拡大した正面図である。
【図７】芯材の斜視図である。
【図８】（ａ）は図１の薬剤揮散器の使用前の状態を示す斜視図であり、（ｂ）は使用時の状態を示す斜視図である。
【図９】従来例の薬剤揮散器の正面図であり、芯材は省略して容器およびキャップを断面にして示している。
【図１０】図９の薬剤揮散器の側面図であり、容器およびキャップは省略して芯材および芯材保持枠を断面にして示している。
【発明を実施するための形態】
【００１６】
以下、本発明の実施形態について、添付図面を参照して説明する。図１〜図３は、本発明の一実施形態である薬剤揮散器１の芯材を除いた全体の構成を示している。また、図４は、図１〜図３に示した芯材保持枠４に芯材３を取り付けた状態を示している。
【００１７】
本実施形態の薬剤揮散器１は、上部に開口部２１を有するとともに内部に液状の薬剤を収容可能な容器２と、容器２内に収納される芯材３と、芯材３を保持する芯材保持枠４とを備えている。容器２の開口部２１は、キャップ５により開閉可能に塞がれている。キャップ５には、芯材保持枠４が回転可能に連結されており、使用者はキャップ５を持つことで芯材保持枠４を容器２から引き上げることができる。芯材保持枠４の引き上げに伴い、芯材３の揮散部３１が、容器２の開口部２１から引き上げられて容器２の外部に露出する。このとき、芯材３の吸上部３０が薬剤中に浸漬されているため、芯材３の吸上部３０で吸い上げた薬剤が芯材３の揮散部３１を介して容器２の外部に揮散する（図８（ｂ）参照）。
【００１８】
容器２は、図１〜図３に示すように、上面に前記開口部２１を有する円筒状の首部２０と、首部２０に連続する中空の胴部２２とにより構成されている。胴部２２は、首部２０よりも大径に形成された肩部２３を備えている。この容器２としては、例えば、透明のプラスチック製ブロー成形品が挙げられるが、ガラス製品の他、インジェクション成型品などであっても構わない。
【００１９】
首部２０の上部外周面には、雄ネジ部２４が設けられている。雄ネジ部２４がキャップ５の内周面に設けられた雌ネジ部５０と螺合することにより、キャップ５が容器２の首部２０に固定される。
【００２０】
首部２０の下部内周面には、肩部２３と隣接する部分に、内方に向けてわずかにくびれた括れ面２０Ａが全周にわたって設けられている。また、括れ面２０Ａの一部分には、内方に向けて大きく突き出る一対の突出部２０Ｂ，２０Ｂが一体に設けられている。各突出部２０Ｂは対向する位置に設けられ、それぞれが芯材保持枠４の厚み方向、つまり、芯材３の厚み方向に突き出ている。これにより、２つの突出部２０Ｂにより、首部２０内に平面視が略長方形状の開口が形成されている。該開口は、芯材３を保持した芯材保持枠４を引き上げる時、あるいは、容器２内に挿入する時の入口となる。
【００２１】
各突出部２０Ｂは、芯材保持枠４を引き上げた時に、芯材保持枠４を起立状態に保持する。つまり、芯材保持枠４を引き上げた時、各突出部２５の先端面が、芯材保持枠４により保持された芯材３の揮散部３１の表面と面接触して揮散部３１を挟持することにより、芯材保持枠４が起立状態で保持される。
【００２２】
なお、本実施形態では、各突出部２０Ｂは、容器２の首部２０に一体に設けられているが、必ずしもこの構成に限られるものではない。例えば、各突出部２０Ｂを容器２の首部２０の内周面に対して中栓のような形で取り外し可能に設けるようにしてもよい。
【００２３】
キャップ５の内底面には、円筒状のボス５１が内底面から突き出るように設けられている。ボス５１の先端部は均等に分割されて、複数（例えば、３つ）の係合爪５２が設けられており、各係合爪５２の外面には段部５３が設けられている。このボス５１は、後述する芯材保持枠４の連結部材４１に設けられた嵌合孔４２に嵌合可能であり、各係合爪５２を内側に弾性変形させてボス５１を嵌合孔４２に嵌合させた後、各係合爪５２の段部５３を連結部材４１の下面に引っ掛けることで、芯材保持枠４が軸方向に抜けることなくキャップ５に対して回転可能に連結されている。
【００２４】
芯材保持枠４は、図１〜図６に示すように、例えば、プラスチックなどの可撓性を有する材料により成形されており、左右一対の側枠部材４０，４０と、各側枠部材４０の上端部同士を連結する連結部材４１とを備えている。連結部材４１の中央部には、嵌合孔４２が設けられている。連結部材４１の両側部には、それぞれ補強板４３，４３が一体に設けられており、各補強板４３に、容器３の内部下方まで延びる側枠部材４０がそれぞれ一体に設けられている。
【００２５】
各側枠部材４０の略中央部には、各側枠部材４０を連結する上下２本の横桟４４，４５が一体に設けられている。また、各側枠部材４０の内側面には、上方の横桟４４よりも上部位置に、それぞれ内向きの垂直板４６，４６が一体に設けられており、各垂直板４６は互いに連結されることなく、所定の間隔をあけて対向するように設けられている。また、下方の横桟４５よりも下部位置にも、それぞれ内向きの垂直板４７，４７が一体に設けられており、各垂直板４７も互いに連結されることなく、所定の間隔をあけて対向するように設けられている。
【００２６】
各側枠部材４０の下端部には、その外側面に、それぞれ枠外に突き出る外向きの係合突起４８，４８が一体に設けられている。薬剤揮散器１の使用時において、芯材保持枠４を引き上げる際、各係合突起４８が容器２の肩部２３に引っ掛かって係合することで、芯材保持枠４は抜け止め状態となり、容器２から芯材保持枠４が抜け出るのが防止されている（図８（ｂ）参照）。
【００２７】
各係合突起４８の下縁には、外側から内側へ向けて低く傾斜するように挿入ガイド部４８Ａが設けられている。薬剤の詰め替えや芯材３の取り替えのために芯材保持枠４を容器２から一旦引き抜いた後、再び、芯材保持枠４を容器２内に挿入する際に、挿入ガイド部４８Ａの存在により各係合突起４８が内側にスムーズに撓むことで、各係合突起４８は容易に各突出部２５を乗り越える。その結果、芯材保持枠４を容器２内に容易に挿入することができるようになっている。
【００２８】
また、各側枠部材４０の下端部の内側面には、前記係合突起４８と反対側の位置に、それぞれ内向きの規制突起４９，４９が一体に設けられている。各規制突起４９は、互いに連結されることなく、対向するように設けられている。各規制突起４９には、互いに対向する端面に、それぞれ凸部４９ａが段違いに設けられており、各凸部４９ａは、その先端が対向する他方の規制突起４９の端面と互いに当接する高さを有している。
【００２９】
なお、本実施形態では、各規制突起４９に凸部４９ａを設け、凸部４９ａの先端が対向する他方の規制突起４９の端面に突き当たることで、各規制突起４９が互いに当接するように構成されているが、必ずしもこれに限られるものではない。例えば、各規制突起４９に凸部４９ａを設けることなく、各規制突起４９の端面同士が突き当たることで、各規制突起４９が互いに当接するようにしても構わない。
【００３０】
各側枠部材４０の外側面には、縦方向に等間隔で複数（図示例では、３つ）の突部５４が一体に設けられている。この各突部５４は、芯材保持枠４を引き上げた時に、容器２の首部２０の内周面に設けられた括れ面２０Ａの上縁と係合するため、芯材保持枠４が容器２０内に不用意に落ち込まないようになっている。これにより、芯材保持枠４を所定の高さ位置にて保持することができる。
【００３１】
上記した構成の芯材保持枠４では、各側枠部材４０の下方の横桟４５よりも下側部分が、外部からの押圧力が作用することにより容易に弾性変形して、芯材保持枠４の幅方向や厚み方向に湾曲状態に撓むことが可能である。また、撓んだ後は、弾性変形による復元力によって、元の下方に垂下する状態に復帰動作する。ただし、薬剤揮散器１の使用時においては、各規制突起４９の凸部４９ａが、それぞれ対向する他方の規制突起４９の端面に突き当たって当接していることにより、各側枠部材４０の下側部分が弾性変形により内側に撓むことが規制されている。ここで、芯材保持枠４を引き上げた際に、各係合突起４８が容器２の肩部２３に引っ掛かった後、使用者により、誤ってさらに芯材保持枠４が引き上げられると、各係合突起４８には、容器２の肩部２３から反作用の力を受けて内向きの押圧力が作用する。これにより、各側枠部材４０の下側部分が弾性変形により内側に撓むことで、各係合突起４８が内側に変位して、各係合突起４８と容器２の肩部２３との係合が外れるおそれがある。しかしながら、上記した構成の芯材保持枠４では、各規制突起４９により、各側枠部材４０が内側に撓むことが規制されているので、各係合突起４８が容器２の肩部２３と係合した後、さらに使用者により芯材保持枠４が引き上げられた場合でも、各係合突起４８と容器２の肩部２３との係合が外れない。そのため、容器２から芯材保持枠４が抜け出るのが確実に防止されている。
【００３２】
一方で、薬剤の詰め替えや芯材３の取り替えのために、芯材保持枠４を容器２から取り外したい場合には、芯材保持枠４を各係合突起４８が容器２の肩部２３と係合するまで引き上げた後、芯材保持枠４を、図８（ｂ）に示す矢印Ｔの方向にひねる。これにより、各側枠部材４０には、容器２の各突出２０Ｂから芯材３の揮散部３１を介して反作用の力を受けて、それぞれ逆向き（図５に示す矢印Ｘ，Ｘ´方向）の押圧力が作用する。そのため、各側枠部材４０の下側部分が、それぞれ弾性変形により芯材保持枠４の厚み方向に撓むので、各規制突起４９が互いに反対方向に変位して位置ずれする。この状態で、芯材保持枠４を引き上げると、各係合突起４８が容器２の肩部２３からの反作用の力により内向き（図５に示す矢印Ｙ，Ｙ´方向）の押圧力を受け、これにより、各側枠部材４０の下側部分が弾性変形によって撓むことで、各係合突起４８は内側に変位し、容器２の肩部２３との係合が外れる。その結果、各係合突起４８が容器２の肩部２３を容易に乗り越えることで、芯材保持枠４を容器２から容易に引き抜くことが可能になっている。
【００３３】
芯材３は、図４および図７に示すように、吸上部３０と揮散部３１とを備え、吸上部３０および揮散部３１が連続して一体化された帯状の形態を有している。この芯材３は、主に液状の薬剤の吸上・揮散効果に優れた繊維層（図示せず）で全体が構成されている。前記繊維層としては、植物繊維やパルプなどの天然繊維、レーヨン、ポリエステル、ＰＥＴ（ポリエチレンテレフタレート）、ＰＰ（ポリプロピレン）などの合成繊維、またはそれらの混合繊維などの繊維質材料で構成することができる。特に、エアレイド法、ニードルパンチ法、スパンボンド法、スパンレース法などによって製造される不織布が好適であるが、その他、織物、編物などの層であってもよい。なお、前記繊維層の表面に、例えば、薄いレーヨンで構成された被覆層を設けるように構成してもよい。
【００３４】
本実施形態では、吸上部３０は、揮散部３１よりもその幅が狭くなるように形成されている。これにより、芯材保持枠４が容器２内に収納されている時（薬剤揮散器１の非使用時）には、吸上部３０を折り畳まれた状態に、一方で、芯材保持枠４が引き上げられた時（薬剤揮散器１の使用時）には、吸上部３０を伸びた状態に、それぞれ容易に変形させることができる（図８（ａ）（ｂ）参照）。吸上部３０は、芯材保持枠４が引き上げられた使用時に、容器２の内底面に達することができる長さに設定されており、薬剤を最後まで吸い上げさせることができるようになっている。また、芯材保持枠４が引き上げられた使用時に、薬剤が空気中に揮散しやすくするために、揮散部３１は幅広に形成されている。なお、本実施形態では、吸上部３０の幅を揮散部３１の幅よりも狭くしているが、吸上部３０と揮散部３１との幅が同じ大きさであってもよい。また、芯材３の形状は必ずしも帯状である必要はなく、筒状、紐状など、液状の薬剤の吸上・揮散効果を有する形状であれば種々の形状を採用可能である。
【００３５】
芯材３を芯材保持枠４に取り付けるためには、図４に示すように、まず、芯材３の一端部を、芯材保持枠４の上方の横桟４４と各垂直板４６との間に通して各垂直板４６の側面に沿わせる。次に、芯材４の他端部を下方の各垂直板４７の下縁で折り返して巻き上げた後、さらに、上方の各垂直板４６の上縁で下方に折り返し、先に下方の各垂直板４７に沿わせた芯材３の中間部と各規制突起４９との間に通して下方に垂らす。これにより、揮散部３１が芯材保持枠４に巻き付けられるとともに、吸上部３０が芯材保持枠４から吊り下げられるようにして、芯材３が芯材保持枠４に取り付けられる。
【００３６】
次に、本実施形態の薬剤揮散器１の使用方法について説明する。
【００３７】
本実施形態の薬剤揮散器１においては、容器２の首部２０にキャップ５が固定された非使用時には、図８（ａ）に示すように、芯材３は吸上部３０および揮散部３１が液状の薬剤中に浸漬している。一方、図８（ｂ）に示すように、キャップ５と容器２の首部２０との固定を外してキャップ５を容器２から引き上げると、これに伴い、芯材保持枠４が容器２の外部に引き上げられて、芯材の揮散部３１が容器２の外部に露出する状態となる。これにより、揮散部３１を介して吸上部３０により吸い上げられた薬剤が空気中に揮散される。このとき、容器２の首部２０の内周面には、一対の突出部２０Ｂが設けられており、各突出部２０Ｂの先端面が、芯材保持枠４を引き上げた際に、芯材３の揮散部３１の表面と面接触する。これにより、芯材保持枠４を所定の引き上げ高さで保持することができる。従って、使用者は、芯材保持枠４の引き上げ高さを調節して、外部に露出させる揮散部３１の表面積を変えることで、薬剤の揮散量を調節することが可能となる。
【００３８】
また、芯材保持枠４の各側枠部材４０の外側面には、複数の突部５４が設けられており、各突部５４が、芯材保持枠４を引き上げた際に、容器２の首部２０の内周面に設けられた括れ面２０Ａの上縁と係合する。これにより、芯材保持枠４が不用意に容器２内に落ち込むことが防止される。
【００３９】
一方、薬剤の揮散に伴い、容器２内の薬剤が少量になったり、芯材３に界面活性剤などの不揮発成分が目詰まりすることで薬剤の揮散性能が低下したりした場合には、芯材保持枠４を各係合突起４８が容器２の肩部２３と係合するまで引き上げた後、芯材保持枠４をひねることにより（図８（ｂ）の矢印Ｔ）、芯材保持枠４を容器２から容易に引き抜くことができる。このように、本実施形態の薬剤揮散器１では、芯材保持枠４をひねるという簡易な操作で、芯材保持枠４を容器２から容易に引き抜くことができるので、薬剤の詰め替えや芯材３の取り替え作業を手軽に行うことができる。また、容器２内に新たな薬剤を補充したり、芯材保持枠４の芯材３を新たな芯材に取り替えたりすることにより、容器２および芯材保持枠４を再利用することが可能である。
【符号の説明】
【００４０】
１    薬剤揮散器
２    容器
３    芯材
４    芯材保持枠
５    キャップ
２０  首部
２０Ｂ  括れ部
２１  開口部
２２  胴部
２３  肩部
３０  吸上部
３１  揮散部
４０  側枠部材
４８  係合突起
４８Ａ  挿入ガイド部
４９  規制突起
５４  突部
【図１】
0005843499.tif 000002
【図２】
0005843499.tif 000003
【図３】
0005843499.tif 000004
【図４】
0005843499.tif 000005
【図５】
0005843499.tif 000006
【図６】
0005843499.tif 000007
【図７】
0005843499.tif 000008
【図８】
0005843499.tif 000009
【図９】
0005843499.tif 000010
【図１０】
0005843499.tif 000011